(57)【特許請求の範囲】
【請求項１】
コンテナ（１）に設けた開口部（１ｂ）に該開口部（１ｂ）を閉塞する如く取り付けられるケーシング（２）の庫外に臨む前面（２ａ）側の下部に凝縮器（４）を、庫内に臨む背面（２ｂ）側の上部に蒸発器（１８）を、それぞれ配置する一方、上記蒸発器（１８）の上方位置にファン（１５）を配置し該ファン（１５）により庫内空気を上記蒸発器（１８）の上方に位置する一次側から下方に位置する二次側に向けて貫流させ得る如くしたコンテナ用冷凍装置において、
上記ケーシング（２）の上記ファン（１５）の回転方向前方側で且つ該ファン（１５）に近接する位置に、上記ファン（１５）の吸込側と庫外とを連通する換気用の吸込口（２２）と、上記蒸発器（１８）の一次側と庫外とを連通する換気用の吹出口（２３）を、設けるとともに、
上記吹出口（２３）に、上記吹出口（２３）の上縁に沿う上壁（２５ａ）と少なくとも該吹出口（２３）の側縁に沿う側壁（２５ｂ）とこれら上壁（２５ａ）と側壁（２５ｂ）に跨った前壁（２５ｃ）を備えた流通制御部材（２５）を、その開口側を下方に向けて設けたことを特徴とするコンテナ用冷凍装置の換気構造。
【請求項２】
請求項１において、
上記吸込口（２２）及び吹出口（２３）は、共に矩形の開口形状を有し、該吸込口（２２）と吹出口（２３）とに跨がって配置され且つ該吸込口（２２）と吹出口（２３）の特定の開口縁（２２ａ），（２３ａ）と略平行な方向に移動自在とされその第１移動位置においては該吸込口（２２）と吹出口（２３）とを共に覆ってこれを全閉状態とし、第２移動位置においては該吸込口（２２）と吹出口（２３）とを共に開放してこれらを全開状態とする換気量調整板（２１）によりその開口面積が増減調整されるように構成されていることを特徴とするコンテナ用冷凍装置の換気構造。
【請求項３】
請求項２において、
上記吸込口（２２）及び吹出口（２３）の各開口縁のうち、上記換気量調整板（２１）の上記第１移動位置から第２移動位置側への移動方向においてその後方側に位置する後方開口縁（２２ｂ），（２３ｂ）が、上記換気量調整板（２１）の移動方向に直交する方向に対して所定の傾斜角をもった傾斜縁とされていることを特徴とするコンテナ用冷凍装置の換気構造。
【発明の詳細な説明】
【０００１】
【発明の属する技術分野】
【０００２】
本願発明は、コンテナ用冷凍装置の換気構造に関するものである。
【従来の技術】
【０００３】
従来より、コンテナの庫内冷却用としてコンテナ用冷凍装置が用いられているが、かかるコンテナ用冷凍装置のうち、特に生物輸送に使用されるコンテナ用冷凍装置おいては庫内空気を適度に換気する必要があることから換気手段を設けている。このような換気手段を備えた従来一般的なコンテナ用冷凍装置の構造を、図１４〜図１７に基づいて簡単に説明すると、以下の通りである。
【０００４】
図１４には、コンテナ１の一端面１ａに取り付けられた冷凍装置Ｚ０の正面図を示している。この冷凍装置Ｚ０は、上記コンテナ１の一端面１ａに設けた開口部１ｂに該開口部１ｂを閉塞する如く取り付けられる略矩形板状のケーシング２を備えている。そして、このケーシング２の両面のうち、コンテナ１の庫外に臨む前面２ａの下部には凹状の前面収納部３を形成し、該前面収納部３内に一対の凝縮器４，４とファン５，５と圧縮機６及びコントロールボックス７を収容している。
【０００５】
また、コンテナ１の庫内１ｃに臨む上記ケーシング２の背面２ｂの上部、即ち、上記前面収納部３の上方位置には、背面壁９と天板１０と側板１１，１１により囲繞された背面収納部８が形成されている。そして、この背面収納部８の上下方向中段位置には板状のファンガイド１７が略水平状態で横設されるとともに、該ファンガイド１７の左右一対の円形開口状のガイド部１７ａ，１７ａにはそれぞれファン１５，１５が配置されている。尚、このファン１５は、ステー１６を介して上記ファンガイド１７に取り付けられたモータ１４により回転駆動され、その回転方向は図１６に羽矢印Ｒで示す方向とされている。また、上記背面収納部８の側部の上記ファン１５の吸込側に対応する位置には、該背面収納部８とコンテナ１の庫内１ｃとを連通する開口２４が設けられている。
【０００６】
さらに、このファンガイド１７の下方位置には、上記各ファン１５，１５に対応するようにしてそれぞれ蒸発器１８，１８がケーシング２側に向かって下降傾斜状態で配置されている。尚、この蒸発器１８，１８の左右両端には、それぞれ管板４４，４４が取り付けられている。
【０００７】
一方、上記ケーシング２の上部の上記各ファン１５，１５に対応する位置には、それぞれ矩形板状のサービス蓋１９，１９が設けられるとともに、これら一対のサービス蓋１９，１９のうちの一方のサービス蓋１９の側方で且つ上記蒸発器１８の管板４４の外側位置には、換気口ユニット４０が設けられている。この換気口ユニット４０は、上記背面収納部８のうちの上記ファンガイド１７及びこれに続く隔壁４５よりも上側に位置する部位（即ち、上記ファン１５の吸込側）を開口２４を介して庫外に連通せしめる吸込口４２と、上記背面収納部８のうちの上記ファンガイド１７及びこれに続く隔壁４５よりも下側に位置する部位（即ち、上記ファン１５の吸込側）を、上記蒸発器１８を通過し且つその管板４４の下側から該管板４４の外側まで迂回した状態で庫外に連通せしめる吹出口４３と、上記ケーシング２の前面２ａ上に上下方向にスライド自在に設けられてそのスライド位置に応じて上記吸込口４２と吹出口４３とを適宜度合いで開閉することで換気量を調整する換気量調整板４１とで構成されている。尚、上記吸込口４２と吹出口４３は、ともに円形の開口とされている。
【０００８】
このように構成された冷凍装置Ｚ０においては、次のようにして庫内の冷却作用及び庫内の換気作用がなされる。即ち、上記ファン１５が運転されると、その吸引作用により庫内１ｃの庫内空気Ａ１と上記吸込口４２から導入される外気Ａ０とが混合状態で該ファン１５により蒸発器１８の一次側に吹き出されるとともに、この蒸発器１８の一次側に吹き出された空気は、その全量が上記蒸発器１８を通過することで冷却される。そして、この冷却された空気のうちの大部分は、冷却空気Ａ２として庫内１ｃ側に還流され、庫内の冷却作用を行うとともに、庫内循環後、再び庫内空気Ａ１としてファン１５側に吸い込まれる。
【０００９】
一方、上記蒸発器１８の一次側に吹き出された空気のうちの他の部分は、上記管板４４の下側を迂回して上記吹出口４３から排出空気Ａ３として庫外に排出される。この吹出口４３からの空気の排出作用と上記吸込口４２からの外気Ａ０の吸込作用とにより、庫内空気Ａ１の換気が適度に行われるものである。尚、この場合、排出空気Ａ３はファン１５から吹き出された後、上記蒸発器１８を通過しさらに上記管板４４を迂回して吹出口４３側に流れるものであることから、ファン１５からの吹き出しに伴う動圧は減衰消滅しこれが換気作用に寄与することはなく、換気作用は専ら庫内と庫外との間の静圧差によって行われることになる（即ち、「静圧換気」である）。
【００１０】
以上が従来の冷凍装置Ｚ０の構造及び作用の概略である。
【発明が解決しようとする課題】
【００１１】
ところが、このような従来の冷凍装置Ｚ０には次のような問題があった。
【００１２】
第１の問題は、冷却効率に関する問題である。即ち、この冷凍装置Ｚ０においては、庫外から取り入れた外気Ａ０と庫内１ｃを循環した後の庫内空気Ａ１とを混合してこれらの全量を蒸発器１８に通して冷却し、この冷却された空気の一部を排出空気Ａ３として庫外に排出するものであることから、上記蒸発器１８が庫内冷却作用に寄与しない無駄な熱交換作用を行うこととなり、それだけ冷却効率が落ちるものである。
【００１３】
第２の問題は、換気量の問題である。即ち、この冷凍装置Ｚ０は、上述のように庫内と庫外との静圧差を利用して換気を行う「静圧換気」であるため、換気量を大きくとるにはファン１５の能力アップが必要であるが、コンテナ１の大きさに制約があることから換気量の増大には一定の限界がある。このため、例えば貨物として球根等の生命体活動を行っているものを輸送するような場合には、これらの要求換気量を十分に確保することができないということも起こり得る。
【００１４】
ところで、このような「静圧換気」による換気量不足を解消する方法の一つとして、例えばファン動圧を利用した「動圧換気」により換気量の増大を図ることが考えられる。ところが、動圧換気とした場合には、ファン動圧が吹出口からの吹出空気に直接かかることから、換気量そのものの増大は望めるものの、その反面、例え換気量調整板４１により換気口の開度（即ち、吸込口４２と吹出口４３の開度であり、設定換気量に対応する）を一定に保持していても実際の換気量が設定換気量に一定せずに大きく乱れるとか、設定換気量を変更すべく換気量調整板４１により換気口の開度を調整してもその開度と実際の換気量とが対応せず、場合によっては小さな開度変更によって換気量が予想より大きく変化したり、逆に大きな開度変更にも拘わらず換気量があまり変化せず、換気量の調整操作そのものが困難になるという問題が生じることになる。このような事情から、従来よりコンテナ用冷凍装置の換気方法として「静圧換気」が広く採用され、動圧換気は採用されなかったものである。
【００１５】
第３の問題は、換気量調整機能上における問題である。即ち、コンテナ庫内に収容される貨物が生物である場合には該庫内の換気を行うことが必要となるが、その場合における要求換気量は一定ではなく、例えば球根等の生命体活動を行っているものの場合には大換気量が要求されるが、通常の野菜とか果物の場合には少ない換気量で十分であり、しかもこの場合には、小換気量の範囲内で野菜等の種類に応じて換気量の微調整を行うことが要求される。
【００１６】
ところで、従来は、図１４に示すように、吸込口４２と吹出口４３とを共に円形に開口させ、これらの開口面積を、スライド移動する換気量調整板４１のスライド量によって増減調整し、もって換気量の調整を行うようにしていた。このため、例えば上記換気量調整板４１により上記吸込口４２と吹出口４３とが共に全閉された状態から、該換気量調整板４１をスライドさせて上記吸込口４２と吹出口４３の開口面積を増加させる（即ち、設定換気量を増加させる）場合、上記吸込口４２と吹出口４３とがその円周上の一点から次第にその弦長を増加させながら開いていくので、例えば上記吸込口４２と吹出口４３とを共に矩形の開口としたような場合に比して、開口初期段階（即ち、小換気量範囲）においては上記換気量調整板４１のスライド量に対する換気量の増加比率が低く、換気量の微調整が容易である。この点は、要求換気量が少なく且つ換気量の微調整が要求される通常の野菜、果物等の輸送に適した換気量調整機能と言える。
【００１７】
ところが、上記換気量調整板４１が最大位置までスライドして上記吸込口４２と吹出口４３とが全開とされた状態においては、これら吸込口４２と吹出口４３が円形の開口であることから、例えばこれを矩形の開口とした場合に比して、上記換気量調整板４１のスライド量の割りには該吸込口４２と吹出口４３の開口面積が少なく最大換気量を十分に確保しにくく、特に球根の輸送時の如く大換気量が要求される場合に問題となる。
【００１８】
さらに、上記換気量調整板４１をスライドさせて上記吸込口４２と吹出口４３とを全閉状態から全開状態とする場合、これらの半開状態の近傍においては上記換気量調整板４１のスライド量の変化に対する上記吸込口４２と吹出口４３の開口量（即ち、換気量）の変化が極端に大きくなり、半開状態における換気量の微調整が非常に難しくなる。
【００１９】
このようなことから、換気量調整上においては、吸込口４２と吹出口４３の開口初期段階においては換気量の微調整が容易であり、その全開状態では可及的に大きな開口面積を確保することができ、しかもこれらの中間段階においては換気量調整板４１のスライド量の変化に対して上記吸込口４２及び吹出口４３の開口量が比例的に変化するような作動特性が要求されるものである。
【００２０】
そこで本願発明では、冷却効率の向上と換気量の増大要求への対応及び換気量の調整の容易さを共に実現し得るコンテナ用冷凍装置の換気構造を提案せんとしてなされたものである。
【課題を解決するための手段】
【００２１】
本願発明ではかかる課題を解決するための具体的手段として次のような構成を採用している。
【００２２】
本願の第１の発明では、コンテナ１に設けた開口部１ｂに該開口部１ｂを閉塞する如く取り付けられるケーシング２の庫外に臨む前面２ａ側の下部に凝縮器４を、庫内に臨む背面２ｂ側の上部に蒸発器１８を、それぞれ配置する一方、上記蒸発器１８の上方位置にファン１５を配置し該ファン１５により庫内空気を上記蒸発器１８の上方に位置する一次側から下方に位置する二次側に向けて貫流させ得る如くしたコンテナ用冷凍装置において、上記ケーシング２の上記ファン１５の回転方向前方側で且つ該ファン１５に近接する位置に、上記ファン１５の吸込側と庫外とを連通する換気用の吸込口２２と、上記蒸発器１８の一次側と庫外とを連通する換気用の吹出口２３を、設けるとともに、上記吹出口２３に、上記吹出口２３の上縁に沿う上壁２５ａと少なくとも該吹出口２３の側縁に沿う側壁２５ｂとこれら上壁２５ａと側壁２５ｂに跨った前壁２５ｃを備えた流通制御部材２５を、その開口側を下方に向けて設けたことを特徴としている。
【００２３】
本願の第２の発明では、上記第１の発明にかかるコンテナ用冷凍装置の換気構造において、上記吸込口２２及び吹出口２３を、共に矩形の開口形状を有し、該吸込口２２と吹出口２３とに跨がって配置され且つ該吸込口２２と吹出口２３の特定の開口縁２２ａ，２３ａと略平行な方向に移動自在とされその第１移動位置においては該吸込口２２と吹出口２３とを共に覆ってこれを全閉状態とし、第２移動位置においては該吸込口２２と吹出口２３とを共に開放してこれらを全開状態とする換気量調整板２１によりその開口面積が増減調整されるように構成したしたことを特徴としている。
【００２４】
本願の第３の発明では、上記第２の発明にかかるコンテナ用冷凍装置の換気構造において、上記吸込口２２及び吹出口２３の各開口縁のうち、上記換気量調整板２１の上記第１移動位置から第２移動位置側への移動方向においてその後方側に位置する後方開口縁２２ｂ，２３ｂを、上記換気量調整板２１の移動方向に直交する方向に対して所定の傾斜角をもった傾斜縁としたことを特徴としている。
【発明の効果】
【００２５】
本願発明ではかかる構成とすることにより次のような効果が得られる。
【００２６】
（イ）  本願の第１の発明にかかるコンテナ用冷凍装置の換気構造によれば、上記ケーシング２に、上記ファン１５の吸込側と庫外とを連通する換気用の吸込口２２と、上記蒸発器１８の一次側と庫外とを連通する換気用の吹出口２３をそれぞれ形成しているので、上記吸込口２２から吸い込まれた外気と庫内を循環した後の庫内空気との混合空気の一部が蒸発器１８において熱交換作用を受ける以前に排出空気として吹出口２３から庫外に吹き出され、これにより庫内の換気が行われることとなる。従って、例えば熱交換後の空気の一部を排出空気として庫外に排出する従来のコンテナ用冷凍装置に比して、上記蒸発器１８において排出空気の熱交換を行わない分だけ庫内冷却に関与する空気に対する冷却作用が促進され、それだけ冷却効率が向上せしめられるものである。
【００２７】
また、上記吸込口２２及び吹出口２３を、上記ファン１５の回転方向前方側で且つ該ファン１５に近接する位置に設けることで、該ファン１５の動圧を吹出口２３から排出される排出空気に作用させる「動圧換気」を実現しているので、例えば従来の「静圧換気」の場合のようにファン能力の増大を図らずとも、上記吹出口２３からの空気の排出が促進され、容易に換気量の増大を図ることができるものである。
【００２８】
さらに、上記吹出口２３に、該吹出口２３の上縁に沿う上壁２５ａと少なくとも該吹出口２３の側縁に沿う側壁２５ｂとこれら上壁２５ａと側壁２５ｂに跨った前壁２５ｃを備えた流通制御部材２５を、その開口側を下方に向けて設けているので、該流通制御部材２５によって上記吹出口２３の上記ファン１５寄り部位が覆われ、該ファン１５から吹き出される空気流は該ファン１５から上記吹出口２３側に短絡的に流通することなく該流通制御部材２５の各壁２５ａ，２５ｂ，２５ｃに衝突してこれを迂回しながら上記吹出口２３側に流れる。このように迂回状態で排出空気が吹出口２３側に流れることで該排出空気に対するファン動圧の影響が適度に軽減され、この結果、吹出口２３を通して排出される空気量に対応する換気量の乱れが可及的に防止され、換気量が安定的に確保され、延いては設定換気量の維持が可能になるものである。
【００２９】
（ロ）  本願の第２の発明にかかるコンテナ用冷凍装置の換気構造によれば、上記（イ）に記載の効果に加えて次のような効果が得られる。即ち、この発明では、上記吸込口２２及び吹出口２３を、共に矩形の開口形状を有し、該吸込口２２と吹出口２３とに跨がって配置され且つ該吸込口２２と吹出口２３の特定の開口縁２２ａ，２３ａと略平行な方向に移動自在とされその第１移動位置においては該吸込口２２と吹出口２３とを共に覆ってこれを全閉状態とし、第２移動位置においては該吸込口２２と吹出口２３とを共に開放してこれらを全開状態とする換気量調整板２１によりその開口面積が増減調整されるように構成しているので、上記吸込口２２と吹出口２３の全開状態においては上記換気量調整板２１の移動量に見合った大きな開口面積が確保され、例えば上記吸込口２２と吹出口２３を円形の開口としたような場合に比して、最大換気量の増加が図られ、特に球根等の大換気量を必要とする貨物の輸送に使用されるコンテナにおいて好適である。
【００３０】
（ハ）  本願の第３の発明にかかるコンテナ用冷凍装置の換気構造によれば、上記（ロ）に記載の効果に加えて次のような効果が得られる。即ち、この発明では、上記吸込口２２及び吹出口２３の各開口縁のうち、上記換気量調整板２１の上記第１移動位置から第２移動位置側への移動方向においてその後方側に位置する後方開口縁２２ｂ，２３ｂを、上記換気量調整板２１の移動方向に直交する方向に対して所定の傾斜角をもった傾斜縁としているので、上記換気量調整板２１を移動させて上記吸込口２２及び吹出口２３を開口させる場合、その開口の初期段階（即ち、小換気量の範囲）においては該換気量調整板２１の移動に伴って上記吸込口２２及び吹出口２３が上記後方開口縁２２ｂ，２３ｂの傾斜に沿って徐々に開き、上記換気量調整板２１の移動量の変化に対する上記吸込口２２及び吹出口２３の開口面積の増加比率が低く抑えられる。従って、この小換気量範囲においては、換気量の微調整が容易となり、特に要求換気量は少ないがその微調整が要求される通常の野菜等の輸送に供せられるコンテナに好適な換気量調整特性とされる。
【００３１】
一方、上記吸込口２２及び吹出口２３がそれぞれ上記後方開口縁２２ｂ，２３ｂの全域まで開いた後においては、該吸込口２２及び吹出口２３は上記換気量調整板２１の移動に伴って矩形状に開口面積を拡大しながら開き、最終的に全開した最大開度とされる。従って、この領域では上記換気量調整板２１の移動の変化に伴って上記吸込口２２及び吹出口２３の開口面積が比例的に変化するので該換気量調整板２１の操作による換気量調整が容易となり、さらに最大開度においては、上記換気量調整板２１の移動量に見合った大きな開口面積が確保され、例えば上記吸込口２２と吹出口２３を円形の開口としたような場合に比して、最大換気量の増加が図られ、特に球根等の大換気量を必要とする貨物の輸送に使用されるコンテナにおいて好適である。
【発明の実施の形態】
【００３２】
以下、本願発明のコンテナ用冷凍装置の換気構造を好適な実施形態に即して具体的に説明する。
【００３３】
第１の実施形態
図１〜図４には、本願発明の換気構造の第１の実施形態であるコンテナ用の冷凍装置Ｚを示しているが、この冷凍装置Ｚの基本的構造は上述した従来の冷凍装置Ｚ０と同様であるため、ここでは従来の冷凍装置Ｚ０と同じ構成部材については図１１〜図１４に付したと同一の符号を付して重複した説明を省略し、従来の冷凍装置Ｚ０と異なる構成のみについて詳述することにする。
【００３４】
この冷凍装置Ｚにおいては、次述するように、従来の冷凍装置Ｚ０とは換気に関与する部分の構造が異なっている。
【００３５】
第１の特有な構造は、換気口ユニット２０を構成する吸込口２２と吹出口２３の構造及び形成位置に関するものである。
【００３６】
即ち、この実施形態における冷凍装置Ｚにおいては、上記吸込口２２と吹出口２３を共に矩形状の開口とするとともに、これら吸込口２２と吹出口２３とを、ケーシング２の上部に設けられた左右一対のサービス蓋１９，１９のうちの一方のサービス蓋１９に直接設けている。そして、これら吸込口２２と吹出口２３の上下方向における形成位置は、該吸込口２２が上記ファンガイド１７の上側（即ち、該ファン１５の吸込側）に位置し、該吹出口２３が上記ファンガイド１７とその下方に位置する上記蒸発器１８との中間（即ち、蒸発器１８の一次側）に位置するように設定している。また、これら吸込口２２と吹出口２３の上記ファン１５に対する相対位置は、図３に示すように、これら吸込口２２と吹出口２３が共に該ファン１５の回転方向前方側において該ファン１５の周縁に近接するように設定している。従って、上記ファン１５から蒸発器１８側に向かって吹き出されて上記吹出口２３に流れる空気にはファン動圧が有効に作用することになる。
【００３７】
さらに、上記サービス蓋１９の外板１９ａ上に開口する上記吸込口２２及び吹出口２３の下流側端部には、これらの開口面積を増減調整することで換気量調整を行う換気量調整板２１が配置されている。この換気量調整板２１は、図５〜図７に示すように、上記サービス蓋１９の外板１９ａに沿って上下方向（即ち、
上下方向において略同一線上に位置する上記吸込口２２の一方の開口縁２２ａと上記吹出口２３の一方の開口縁２３ａと平行な方向）にスライド可能とされた板状体で構成され、図５に示す最下動位置（特許請求の範囲中の「第１移動位置」に該当する）においては上記吸込口２２と吹出口２３とを同時に全閉し得る大きさをもつとともに、そのスライド方向中間位置には二つの開口２６，２７を上下方向に所定間隔をもって形成している。従って、図６に示すように、換気量調整板２１が中間位置に設定された状態では、同図にハッチングを付したように上記吸込口２２の一部が上記開口２６に重合して該吸込口２２が半開されるとともに、上記吹出口２３が換気量調整板２１からはみ出してこれが半開される（換気口の半開状態）。さらに、図７に示すように、換気量調整板２１が最上動位置（特許請求の範囲中の「第２移動位置」に該当する）に設定された状態では、同図にハッチングを付したように上記吸込口２２が上記開口２６と開口２７とに同時に重合して該吸込口２２が全開されるとともに、上記吹出口２３の全域が換気量調整板２１からはみ出してこれが全開とされる（換気口の全開状態）。
【００３８】
尚、上記サービス蓋１９は、図３に示すように、外板１９ａと内板１９ｂとの二重構造とされ、上記吸込口２２と吹出口２３とは、共にこのサービス蓋１９を板厚方向に貫通配置した管体で構成され、その一端は上記外板１９ａ上に開口し、他端は上記背面収納部８に臨んで開口している。
【００３９】
第２の特有な構造は、上記吹出口２３にファン動圧が過度に作用するのを防止するための構造に関するものである。
【００４０】
即ち、この実施形態のものにおいては、上記吹出口２３の上流側端部に次述する如き流通制御部材２５を配置している。この流通制御部材２５は、図８に示す如く上記吹出口２３の上縁に沿う上壁２５ａと該吹出口２３の一方の側縁（具体的には、上記ファン１５の回転方向の後方側に位置する側縁）に沿う側壁２５ｂとこれら上壁２５ａと側壁２５ｂとに跨がった略三角板状の前壁２５ｃとを備え、矩形筺状体をその対角線位置で二分割した如き形状とされている。そして、この流通制御部材２５は、その開口側を下方に向け、上記上壁２５ａを吹出口２３の上縁に、側壁２５ｂを吹出口２３の側縁にそれぞれ沿わせた状態で該吹出口２３の上流側端部に取り付けられる。従って、上記吹出口２３は、上記流通制御部材２５を取り付けることにより、上記ファン１５の回転方向後方寄りの対角線から上半分の部分が該流通制御部材２５によって覆われることになる。
【００４１】
このような換気構造を備えることで、この実施形態の冷凍装置Ｚにおいては、従来の冷凍装置に比して、次のような特有な換気作用が得られるものである。
【００４２】
即ち、この実施形態の冷凍装置Ｚにおいては、上記ケーシング２に、上記ファン１５の吸込側と庫外とを連通する換気用の吸込口２２と、上記蒸発器１８の一次側と庫外とを連通する換気用の吹出口２３をそれぞれ形成しているので、上記吸込口２２から吸い込まれた外気Ａ０と庫内を循環した後の庫内空気Ａ１との混合空気の一部が蒸発器１８において熱交換作用を受ける以前に排出空気Ａ３として吹出口２３から庫外に吹き出される。従って、例えば熱交換後の空気の一部を排出空気として庫外に排出する従来の冷凍装置Ｚ０に比して、上記蒸発器１８において排出空気の熱交換を行わない分だけ庫内冷却に関与する空気に対する冷却作用が促進され、それだけ冷却効率が向上せしめられるものである。
【００４３】
さらに、この実施形態の冷凍装置Ｚにおいては、上記吸込口２２及び吹出口２３を、上記ファン１５の回転方向前方側で且つ該ファン１５に近接する位置に設けることで、該ファン１５の動圧を吹出口２３から排出される排出空気に作用させる「動圧換気」を実現している。このため、例えば従来の「静圧換気」の場合のようにファン能力の増大を図らずとも、ファン動圧により上記吹出口２３からの空気の排出を促進させることができ、換気量の増大、即ち、換気能力の向上を図ることが可能となるものである。従って、例えば球根等のより多くの換気量を必要とする物を輸送する場合においても、容易にこれに対処することができ、それだけ冷凍装置Ｚの汎用性が向上するものである。
【００４４】
ところが、単に「動圧換気」を採用したのみでは、吹出口２３から吹き出される排出空気Ａ３にファン動圧の影響が過度となり、換気量の乱れの発生あるいは換気量調整の困難さという問題が生じ得ることは既述の通りである。
【００４５】
しかしながら、この実施形態の冷凍装置Ｚにおいては、上記吹出口２３の上流側端部に上記流通制御部材２５を設けることで、上記の如き問題点を解消し、「動圧換気」の利点を最大限生かしながら、同時に換気量の安定化及び換気量調整の容易化を実現できるようになっている。即ち、上記吹出口２３の上流側端部に上記流通制御部材２５を設けることで、該吹出口２３の上記ファン１５寄り部位が覆われ、該ファン１５から吹き出される空気流は該ファン１５から上記吹出口２３側に短絡的に流通することなく該流通制御部材２５の各壁２５ａ，２５ｂ，２５ｃに衝突してこれを迂回しながら上記吹出口２３側に流れる。このように迂回状態で排出空気Ａ３が吹出口２３側に流れることで該排出空気Ａ３に対するファン動圧の影響が適度に軽減され、この結果、吹出口２３を通して排出される空気量に対応する換気量の乱れが可及的に防止され、換気量が安定的に確保され、延いては設定換気量の維持が可能になるものである。
【００４６】
また、上述のように上記流通制御部材２５の付設によって換気量が安定すること、及び上記吸込口２２と吹出口２３とを共に矩形の開口としたことの相乗効果として、換気口開度と換気量との相関関係がほぼ一定に保持される。具体的には図１０に示す試験結果の通り、流通制御部材２５を設けない場合には、「換気口開度−換気量」特性が大きく屈曲し、換気口開度に対する換気量の変化率が急増する部分とこれがほとんど変化しない部分とが生じるが、流通制御部材２５を設けた場合には、「換気口開度−換気量」特性がほぼ直線状となり、換気口開度と換気量との間に比例関係が生じる。従って、流通制御部材２５を備えたこの実施形態の冷凍装置Ｚにおいては、輸送対象貨物の種類等に応じて換気量を調整する場合、どれぐらいの換気口開度に設定すればどれぐらいの換気量が得られるということが判るため、換気量調整が極めて容易となるものである。
【００４７】
尚、ここでは「換気口開度」を、上記換気口ユニット２０の換気量調整板２１の操作量で示している。
【００４８】
また、図９には、図８に示した上記流通制御部材２５の変形例を示している。この変形例の流通制御部材２５は、上壁２５ａと左右一対の側壁２５ｂ，２５ｂと矩形状の前壁２５ｃとを備えてなり、該流通制御部材２５を吹出口２３に取り付けることにより該吹出口２３は該流通制御部材２５によりその全域が覆われ、該流通制御部材２５の下面側のみを介して上記ファン１５に臨むことになる。従って、上記実施形態における流通制御部材２５の場合よりもさらにファン動圧の影響を軽減できるものである。
【００４９】
第２の実施形態
図１１及び図１３には、本願発明にかかるコンテナ用冷凍装置の換気構造の第２の実施形態における換気口ユニット２０部分を示している。尚、この第２の実施形態におけるコンテナ用冷凍装置の換気構造は、上記換気口ユニット２０の部分の構造のみが上記第１の実施形態における換気構造と異なり、それ以外の構成は全て同じであるため、ここではこの第２の実施形態に特有な上記換気口ユニット２０部分についてのみ詳述し、それ以外の部分の構成及び作用効果については上記第１の実施形態における説明を援用する。
【００５０】
上記換気口ユニット２０は、上記サービス蓋１９上に開口する次述の吸込口２２及び吹出口２３と、該吸込口２２及び吹出口２３の開口面積を増減調整することで換気量調整を行う換気量調整板２１とで構成されている。
【００５１】
上記吸込口２２と吹出口２３は、上記第１の実施形態における吸込口２２と吹出口２３と同様に矩形の開口を基本としつつ、その下側の開口縁２２ｂ，２３ｂ（それぞれ特許請求の範囲中の「後方開口縁」に該当する）を、上下方向に延びる一方の開口縁２２ａ，２３ａ（それぞれ特許請求の範囲中の「特定の開口縁」に該当する）に直交する方向に対して所定の傾斜角をもって傾斜する傾斜縁としている。
【００５２】
上記換気量調整板２１は、上記サービス蓋１９の表面に沿って上下方向（即ち、上記吸込口２２及び吹出口２３の開口縁２２ａ，２３ａに平行な方向）にスライド可能とされた板状体で構成されるとともに、その上下方向中段位置には開口２６を備えている。そして、この換気量調整板２１は、図１１に示す最下動位置（特許請求の範囲中の「第１移動位置」に該当する）と図１３に示す最上動位置（特許請求の範囲中の「第２移動位置」に該当する）の範囲において上下方向にスライドされ、最下動位置においては上記吸込口２２と吹出口２３とを同時に全閉し、最上動位置においては上記吹出口２３から外れてこれを全開とするとともに上記開口２６が上記吹出口２３と重合することでこれを全開とするようになっている。尚、図１２及び図１３においては、上記吸込口２２と吹出口２３のうち、開口された部分にハッチングを付している。
【００５３】
この第２の実施形態にかかるコンテナ用冷凍装置の換気構造によれば、上記吸込口２２及び吹出口２３の各開口縁のうち、上記換気量調整板２１の最下動位置から最上動位置側への移動方向（即ち、上方への開作動方向）においてその後方側（即ち、下方側）に位置する開口縁２２ｂ，２３ｂを、傾斜縁としているので、上記換気量調整板２１を移動させて上記吸込口２２及び吹出口２３を開口させる場合、図１２に示すような開口の初期段階（即ち、小換気量の範囲）においては、該換気量調整板２１の移動に伴って上記吸込口２２及び吹出口２３が上記各開口縁２２ｂ，２３ｂの傾斜に沿って徐々に開き、上記換気量調整板２１の移動量の変化に対する上記吸込口２２及び吹出口２３の開口面積の増加比率が低く抑えられる。従って、この小換気量範囲においては、換気量の微調整が容易となり、特に要求換気量は少ないがその微調整が要求される通常の野菜等の輸送に供せられるコンテナに好適な換気量調整特性が得られる。
【００５４】
一方、上記吸込口２２及び吹出口２３がそれぞれ上記各開口縁２２ｂ，２３ｂの全域まで開いた後においては、該吸込口２２及び吹出口２３は上記換気量調整板２１の移動に伴って矩形状に開口面積を拡大しながら開き、最終的に図１３に示す如き全開した最大開度とされる。従って、この作動範囲では上記換気量調整板２１の移動の変化に伴って上記吸込口２２及び吹出口２３の開口面積が比例的に変化するので該換気量調整板２１の操作による換気量調整が容易となる。また、最大開度に設定された状態においては、上記換気量調整板２１の移動量に見合った大きな開口面積が確保され、例えば上記吸込口２２と吹出口２３を円形の開口としたような場合に比して、最大換気量の増加が図られ、特に球根等の大換気量を必要とする貨物の輸送に使用されるコンテナの換気構造として好適である。
【図面の簡単な説明】
【図１】  本願発明のコンテナ用冷凍装置の換気構造の第１の実施形態を示す正面図である。
【図２】  図１のII部の背面側からの拡大図である。
【図３】  図２のIII-III矢視図である。
【図４】  図２のIV-IV矢視図である。
【図５】  図１に示した換気口ユニットの換気量調整状態説明図である。
【図６】  図１に示した換気口ユニットの換気量調整状態説明図である。
【図７】  図１に示した換気口ユニットの換気量調整状態説明図である。
【図８】  図２に示した動圧防止材の拡大斜視図である。
【図９】  動圧防止材の変形例を示す斜視図である。
【図１０】  「換気口開度−換気量」特性図である。
【図１１】  本願発明のコンテナ用冷凍装置の換気構造の第２の実施形態における換気口ユニット部分の正面図である。
【図１２】  図１１に示した換気口ユニットの換気量調整状態説明図である。
【図１３】  図１１に示した換気口ユニットの換気量調整状態説明図である。
【図１４】  従来の換気構造を備えたコンテナ用冷凍装置の正面図である。
【図１５】  図１４のXV部の背面側からの拡大図である。
【図１６】  図１５のXVI-XVI矢視図である。
【図１７】  図１５のXVII-XVII矢視図である。
【符号の説明】
１はコンテナ、２はケーシング、３は前面収納部、４は凝縮器、５はファン、６は圧縮機、７はコントロールボックス、８は背面収納部、９は背面壁、１０は天板、１１は側板、１２は隔壁、１４はモータ、１５はファン、１６はステー、１７はファンガイド、１８は蒸発器、１９はサービス蓋、２０は換気口ユニット、２１は換気量調整板、２２は吸込口、２３は吹出口、２４は開口、２５は流通制御部材、２６及び２７は開口である。
【図１】
0003791084.tif 000002
【図２】
0003791084.tif 000003
【図３】
0003791084.tif 000004
【図４】
0003791084.tif 000005
【図５】
0003791084.tif 000006
【図６】
0003791084.tif 000007
【図７】
0003791084.tif 000008
【図８】
0003791084.tif 000009
【図９】
0003791084.tif 000010
【図１０】
0003791084.tif 000011
【図１１】
0003791084.tif 000012
【図１２】
0003791084.tif 000013
【図１３】
0003791084.tif 000014
【図１４】
0003791084.tif 000015
【図１５】
0003791084.tif 000016
【図１６】
0003791084.tif 000017
【図１７】
0003791084.tif 000018